(57)【要約】【課題】  点火プラグ取付部の厚さが薄い場合でも点火プラグを適正に取り付けることが可能で且つ点火プラグを容易に取り外すことが可能な点火プラグの保持装置を提供する。【解決手段】  点火プラグ取付部４１ｐに取り付けられる固定側円筒状部材５１、その固定側円筒状部５１に螺合により装着される装着側円筒状部材５２、及び、それらの間に介在されてそれらの締め付けに伴って縮径側に押圧されて縮径状態に塑性変形する円筒状の保持部材５３の夫々に対して、点火プラグＰを挿通させた状態において、装着側円筒状部材５２を固定側円筒状部材５１に締め付けることにより保持部材５３を縮径状態に塑性変形させて点火プラグＰを保持するように構成され、点火プラグＰに、装着側円筒状部５２が固定側円筒状部材５１から離れる側に移動したときに、その装着側円筒状部材５２が当接可能な当たり部Ａが設けられている。【選択図】        図４
2005141931.tif 000002
【特許請求の範囲】
【請求項１】
雄ネジ又は雌ネジを備え且つ点火プラグ取付部に取り付けられる固定側円筒状部材、その固定側円筒状部材に螺合自在な雌ネジ又は雄ネジを備えてその固定側円筒状部材に締め付けられて装着される装着側円筒状部材、及び、それら固定側円筒状部材と装着側円筒状部材との間に介在されてそれらの締め付けに伴って縮径側に押圧されて縮径状態に塑性変形する円筒状の保持部材の夫々に対して、点火プラグを挿通させた状態において、前記装着側円筒状部材を前記固定側円筒状部材に締め付けることにより前記保持部材を縮径状態に塑性変形させて前記点火プラグを保持するように構成され、
前記点火プラグに、前記装着側円筒状部材が前記固定側円筒状部材から離れる側に移動したときに、その装着側円筒状部材が当接可能な当たり部が設けられている点火プラグの保持装置。
【請求項２】
雄ネジ又は雌ネジを備え且つ点火プラグ取付部に取り付けられる固定側円筒状部材、その固定側円筒状部材に螺合自在な雌ネジ又は雄ネジを備えてその固定側円筒状部材に締め付けられて装着される装着側円筒状部材、及び、それら固定側円筒状部材と装着側円筒状部材との間に介在されてそれらの締め付けに伴って縮径側に押圧されて縮径状態に塑性変形する円筒状の保持部材の夫々に対して挿通された状態において、前記装着側円筒状部材を前記固定側円筒状部材に締め付けることにより前記保持部材を縮径状態に塑性変形させて保持されるように構成され、
前記装着側円筒状部材が前記固定側円筒状部材から離れる側に移動したときに、その装着側円筒状部材が当接可能な当たり部が設けられている点火プラグ。
【請求項３】
伝熱板の一側面側に、バーナを備えた燃焼室が前記伝熱板の厚さ方向に薄い扁平状に設けられ、前記伝熱板の他側面側に、前記燃焼室により加熱されて、供給される炭化水素系の原燃料を水素ガスを主成分とするガスに改質処理する改質処理室が設けられ、
前記扁平状の燃焼室を区画形成する燃焼室形成体における前記厚さ方向に沿う部分に、請求項１又は請求項２記載の前記固定側円筒状部材が、前記点火プラグ取付部として取り付けられている改質装置。
【発明の詳細な説明】
【技術分野】
【０００１】
本発明は、点火プラグの保持装置、その点火プラグ保持装置にて取り付ける点火プラグ、及び、前記点火プラグ保持装置にて前記点火プラグを取り付ける改質装置に関する。
【背景技術】
【０００２】
点火プラグの保持装置としては、従来、燃焼室を形成する燃焼室形成体を点火プラグ取付部として、その点火プラグ取付部に前記燃焼室に貫通する状態で形成した雌ネジと、その雌ネジに螺合自在なように点火プラグの外周部に形成した雄ネジとを備えて、点火プラグ取付部の雌ネジに点火プラグの雄ネジを螺合させて締め付けることにより、点火プラグを点火プラグ取付部に取り付け、点火プラグの雄ネジを点火プラグ取付部の雌ネジから緩めることにより、点火プラグを点火プラグ取付部から取り外すように構成していた（例えば、特許文献１参照。）。
ちなみに、この特許文献１の点火プラグの保持装置では、点火プラグをエンジンに取り付ける場合について記載されていて、燃焼室を形成する燃焼室形成体としてのシリンダのシリンダヘッドを点火プラグ取付部とするように構成していた。
【０００３】
そして、点火プラグ取付部の雌ネジに点火プラグの雄ネジを螺合させて締め付けることにより、点火プラグを点火プラグ取付部に十分な強度にて適正に取り付けることが可能なように構成していた。又、点火プラグの雄ネジを点火プラグ取付部の雌ネジから緩めることにより、点火プラグを点火プラグ取付部から取り外すことが可能なように構成していた。
【０００４】
【特許文献１】実開平６−５８１７１号公報
【発明の開示】
【発明が解決しようとする課題】
【０００５】
ところで、点火プラグ取付部の厚さは、点火プラグを取り付ける対象となる装置によって異なるものである。
しかしながら、従来の点火プラグの保持装置では、以下に説明するように、シリンダヘッドの如く点火プラグ取付部の厚さが厚い場合は、点火プラグを点火プラグ取付部に十分な強度にて適正に取り付けることが可能であるが、点火プラグ取付部の厚さが薄い場合は、点火プラグを点火プラグ取付部に十分な強度を有する状態で取り付けることができなかった。
即ち、点火プラグ取付部の厚さが厚い場合は、点火プラグ取付部に、点火プラグの雄ネジとの螺合により点火プラグを十分な強度で保持できるように、点火プラグの長手方向に沿う大きな範囲で雌ネジを形成することが可能であるが、点火プラグ取付部の厚さが薄くなると、点火プラグ取付部に、点火プラグの長手方向に沿う大きな範囲で雌ネジを形成することができなくなって、点火プラグを十分な強度を有する状態で取り付けることができなくなくなるのである。
【０００６】
本発明は、かかる実情に鑑みてなされたものであり、その目的は、点火プラグ取付部の厚さが薄い場合でも点火プラグを適正に取り付けることが可能で且つ点火プラグを容易に取り外すことが可能な点火プラグの保持装置を提供することにあり、又、その点火プラグの保持装置にて取り付けるのに好適な点火プラグを提供することにあり、更には、前記点火プラグの保持装置にて前記点火プラグを取り付けるのに好適な改質装置を提供することにある。
【課題を解決するための手段】
【０００７】
本発明の点火プラグの保持装置は、雄ネジ又は雌ネジを備え且つ点火プラグ取付部に取り付けられる固定側円筒状部材、その固定側円筒状部材に螺合自在な雌ネジ又は雄ネジを備えてその固定側円筒状部材に締め付けられて装着される装着側円筒状部材、及び、それら固定側円筒状部材と装着側円筒状部材との間に介在されてそれらの締め付けに伴って縮径側に押圧されて縮径状態に塑性変形する円筒状の保持部材の夫々に対して、点火プラグを挿通させた状態において、前記装着側円筒状部材を前記固定側円筒状部材に締め付けることにより前記保持部材を縮径状態に塑性変形させて前記点火プラグを保持するように構成され、
前記点火プラグに、前記装着側円筒状部材が前記固定側円筒状部材から離れる側に移動したときに、その装着側円筒状部材が当接可能な当たり部が設けられている点を特徴とする。
【０００８】
即ち、点火プラグを点火プラグ取付部に取り付けるときは、点火プラグ取付部に取り付けた固定側円筒状部材、それに螺合により装着自在な装着側円筒状部材、及び、それら固定側円筒状部材と装着側円筒状部材との間に介在させた保持部材の夫々に対して、点火プラグを挿通させた状態で、装着側円筒状部材を固定側円筒状部材に締め付けると、保持部材が縮径側に押圧されて縮径状態に塑性変形し、そのように塑性変形した保持部材により点火プラグがその外周部から締め付けられることになり、点火プラグを点火プラグ取付部に取り付けることができる。
又、点火プラグを点火プラグ取付部から取り外すときは、装着側円筒状部材を固定側円筒状部材から緩めてその固定側円筒状部材から離れる側に移動させると、装着側円筒状部材が点火プラグの当たり部に当接して、装着側円筒状部材により点火プラグが固定側円筒状部材から離れる側に押されることになり、点火プラグを点火プラグ取付部から取り外すことができる。
つまり、点火プラグ取付部の厚さが薄い場合でも、溶接等により、固定側円筒状部材を点火プラグ取付部に十分な強度にて取り付けることが可能であり、そのように十分な強度にて点火プラグ取付部に取り付けた固定側円筒状部材、それに螺合により装着自在な装着側円筒状部材、及び、それら固定側円筒状部材と装着側円筒状部材との間に介在させた保持部材の夫々に対して、点火プラグを挿通させた状態で、装着側円筒状部材を固定側円筒状部材に締め付けて、保持部材を縮径状態に塑性変形させて点火プラグをその外周部から締め付けるので、点火プラグを点火プラグ取付部に十分な強度にて適正に取り付けることが可能になる。
又、点火プラグを点火プラグ取付部から取り外すときは、装着側円筒状部材が点火プラグの当たり部に当接した状態で、装着側円筒状部材を固定側円筒状部材から緩めてそれから離れる側に移動させることにより、ねじによる倍力作用を利用して、点火プラグを固定側円筒状部材から離れる側に押すように強い力を作用させることが可能になるので、点火プラグを取り付けた装置の運転により、点火プラグが固定側円筒状部材や保持部材に焼き付いていたとしても、点火プラグを点火プラグ取付部から容易に取り外すことが可能になる。
ちなみに、点火プラグに前述のような当たり部を設けずに、点火プラグをその長手方向の全長にわたって装着側円筒状部材の孔径よりも細くなるように形成する場合が想定される。しかしながら、その場合は、点火プラグを点火プラグ取付部から取り外すときには、点火プラグが固定側円筒状部材や保持部材に焼き付いていると、装着側円筒状部材を固定側円筒状部材から緩めても、点火プラグが固定側円筒状部材の側に残された状態で、装着側円筒状部材だけが外れることになる。そして、別途、固定側円筒状部材や保持部材に焼き付いた点火プラグを取り外す必要があるので、点火プラグを取り外し難いものとなる。
従って、点火プラグ取付部の厚さが薄い場合でも点火プラグを適正に取り付けることが可能で且つ点火プラグを容易に取り外すことが可能な点火プラグの保持装置を提供することができるようになった。
【０００９】
本発明の点火プラグは、雄ネジ又は雌ネジを備え且つ点火プラグ取付部に取り付けられる固定側円筒状部材、その固定側円筒状部材に螺合自在な雌ネジ又は雄ネジを備えてその固定側円筒状部材に締め付けられて装着される装着側円筒状部材、及び、それら固定側円筒状部材と装着側円筒状部材との間に介在されてそれらの締め付けに伴って縮径側に押圧されて縮径状態に塑性変形する円筒状の保持部材の夫々に対して挿通された状態において、前記装着側円筒状部材を前記固定側円筒状部材に締め付けることにより前記保持部材を縮径状態に塑性変形させて保持されるように構成され、
前記装着側円筒状部材が前記固定側円筒状部材から離れる側に移動したときに、その装着側円筒状部材が当接可能な当たり部が設けられている点を特徴とする。
【００１０】
即ち、点火プラグを点火プラグ取付部に取り付けるときは、点火プラグ取付部に取り付けた固定側円筒状部材、それに螺合により装着自在な装着側円筒状部材、及び、それら固定側円筒状部材と装着側円筒状部材との間に介在させた保持部材の夫々に対して、点火プラグを挿通させた状態で、装着側円筒状部材を固定側円筒状部材に締め付けると、保持部材が縮径側に押圧されて縮径状態に塑性変形し、そのように塑性変形した保持部材により点火プラグがその外周部から締め付けられることになり、点火プラグを点火プラグ取付部に取り付けることができる。
又、点火プラグを点火プラグ取付部から取り外すときは、装着側円筒状部材を固定側円筒状部材から緩めてその固定側円筒状部材から離れる側に移動させると、装着側円筒状部材が点火プラグの当たり部に当接して、装着側円筒状部材により点火プラグが固定側円筒状部材から離れる側に押されることになり、点火プラグを点火プラグ取付部から取り外すことができる。
つまり、点火プラグ取付部の厚さが薄い場合でも、溶接等により、固定側円筒状部材を点火プラグ取付部に十分な強度にて取り付けることが可能であり、そのように十分な強度にて点火プラグ取付部に取り付けた固定側円筒状部材、それに螺合により装着自在な装着側円筒状部材、及び、それら固定側円筒状部材と装着側円筒状部材との間に介在させた保持部材の夫々に対して、点火プラグを挿通させた状態で、装着側円筒状部材を固定側円筒状部材に締め付けて、保持部材を縮径状態に塑性変形させて点火プラグをその外周部から締め付けるので、点火プラグ取付部の厚さが薄い場合でも点火プラグを十分な強度にて適正に取り付けることが可能になる。
又、点火プラグを点火プラグ取付部から取り外すときは、装着側円筒状部材が点火プラグの当たり部に当接した状態で、装着側円筒状部材を固定側円筒状部材から緩めてそれから離れる側に移動させることにより、ねじによる倍力作用を利用して、点火プラグを固定側円筒状部材から離れる側に押すように強い力を作用させることが可能になるので、点火プラグを取り付けた装置の運転により、点火プラグが固定側円筒状部材や保持部材に焼き付いていたとしても、点火プラグを点火プラグ取付部から容易に取り外すことが可能になる。
つまり、請求項１記載の点火プラグの保持装置を用いて、点火プラグ取付部の厚さが薄い場合でも点火プラグを適正に取り付けたり、点火プラグが固定側円筒状部材や保持部材に焼き付いていたとしても、点火プラグを容易に取り外したりすることが可能となり、もって、請求項１記載の点火プラグ保持装置にて取り付けるのに好適な点火プラグを提供することができるようになった。
【００１１】
本発明の改質装置は、伝熱板の一側面側に、バーナを備えた燃焼室が前記伝熱板の厚さ方向に薄い扁平状に設けられ、前記伝熱板の他側面側に、前記燃焼室により加熱されて、供給される炭化水素系の原燃料を水素ガスを主成分とするガスに改質処理する改質処理室が設けられ、
前記扁平状の燃焼室を区画形成する燃焼室形成体における前記厚さ方向に沿う部分に、請求項１又は請求項２記載の前記固定側円筒状部材が、前記点火プラグ取付部として取り付けられている点を特徴とする。
【００１２】
即ち、バーナを備えた燃焼室を、伝熱板の一側面側にその伝熱板の厚さ方向に薄い扁平状に設けることにより、改質装置のコンパクト化を図りながらも、伝熱板を介して改質処理室を効率良く加熱して、効率良く原燃料を改質処理することが可能になる。
そして、そのような扁平状の燃焼室においては、伝熱板の厚さ方向に沿う方向での長さが短く、一方、前記厚さ方向に直交する方向での長さが長いので、点火プラグを取り付けるに当たっては、燃焼室を区画形成する燃焼室形成体における伝熱板に対向する部分を点火プラグ取付部とするよりも、前記燃焼室形成体における前記厚さ方向に沿う部分を点火プラグ取付部とする方が、改質装置のコンパクト化を図る上で好ましい。
つまり、前記燃焼室形成体における伝熱板に対向する部分を点火プラグ取付部とする場合は、燃焼室における前記厚さ方向に沿う方向での長さが短いことから、点火プラグを燃焼室内へあまり挿入することができず、点火プラグにおける燃焼室から突出する部分の長さが長くなるので、改質装置のコンパクト化を図り難い。
一方、前記燃焼室形成体における前記厚さ方向に沿う部分を点火プラグ取付部とすると、伝熱板の厚さ方向に直交する方向での長さが長いことから、点火プラグを燃焼室内へ十分に挿入することができて、点火プラグにおける燃焼室から突出する部分の長さを短くすることが可能になるので、改質装置のコンパクト化を図り易い。
そして、改質装置のコンパクト化を図るために、通常、前記燃焼室形成体は厚さの薄い板状体にて形成することになるので、そのような板状体から成る燃焼室形成体における前記厚さ方向に沿う部分を点火プラグ取付部とする場合には、点火プラグ取付部の厚さが薄いものとなる。
そこで、そのような板状体から成る燃焼室形成体における前記厚さ方向に沿う部分を点火プラグ取付部として、その点火プラグ取付部に請求項１又は請求項２記載の固定側円筒状部材を取り付けて、請求項１記載の点火プラグ保持装置を用いて請求項２記載の点火プラグを取り付けるようにすることにより、改質装置のコンパクト化を図るべく扁平状に設けた燃焼室に対して、その燃焼室を厚さの薄い燃焼室形成体にて形成して点火プラグ取付部の厚さが薄い場合でも点火プラグを適正に取り付けることが可能になり、又、点火プラグを容易に取り外すことが可能となるのである。
従って、請求項１記載の点火プラグ保持装置にて請求項２記載の点火プラグを取り付けるのに好適な改質装置を提供することができるようになった。
【発明を実施するための最良の形態】
【００１３】
以下、図面に基づいて、本発明の点火プラグの保持装置及び点火プラグを改質装置用に適用した場合の実施形態を説明する。
図１及び図２に示すように、改質装置Ｒは、伝熱板４０の一側面側に、バーナ４２を備えた燃焼室４を伝熱板４０の厚さ方向に薄い扁平状に設け、伝熱板４０の他側面側に、前記燃焼室４により加熱されて、供給される炭化水素系の原燃料を水素ガスを主成分とするガスに改質処理する改質処理室３を伝熱板４０の厚さ方向に薄い扁平状に設けて構成し、前記扁平状の燃焼室４を区画形成する燃焼室形成体としての皿状容器形成部材４１における前記厚さ方向に沿う部分を点火プラグ取付部４１ｐとして、その点火プラグ取付部４１ｐに本発明の点火プラグＰを本発明による点火プラグの保持装置Ｍにより取り付けるようになっている。
【００１４】
前記改質装置Ｒについて説明を加えると、この改質装置Ｒは、矩形の前記伝熱板４０にて仕切られた二つの扁平な室を備えるように形成した矩形板状の扁平な双室具備容器Ｂｄを用いて構成し、二室のうちの一方を前記燃焼室４として用い、他方を前記改質処理室３として用いている。
前記双室具備容器Ｂｄは、前記伝熱板４０の両側に一対の前記皿状容器形成部材４１を振分け配置した状態で、周縁部をシーム溶接にて接続して、内部に二つの扁平な室を区画形成するように構成する。
前記伝熱板４０は、ステンレス等の耐熱性金属を用いて形成し、前記皿状容器形成部材４１は、周縁部を接続代として中央部が膨出する皿状に、ステンレス等の耐熱性金属製の板材をプレス成形して形成してある。
そして、双室具備容器Ｂｄを用いて構成した改質装置Ｒを、伝熱板４０が縦向きとなる縦姿勢で設ける。
【００１５】
前記改質処理室３内には、粒状の改質触媒３ｃを装入し、その改質処理室３を形成する前記皿状容器形成部材４１の上部に、改質処理用の水蒸気を混合させた改質処理対象の原燃料ガスを供給するノズル４４を室内に連通する状態で接続し、下部に、改質処理後の改質ガスを排出するノズル４４を室内に連通する状態で接続して、改質処理用の水蒸気を混合させた原燃料ガスを粒状改質触媒群を上下方向に通過するように流して、水素ガスを主成分とする改質ガスに改質処理するようにしてある。前記改質触媒３ｃは、ルテニウム、ニッケル、白金等の触媒をセラミック製の多孔質粒状体に保持させて、粒状に形成し、その粒状の改質触媒３ｃの多数を、通気可能な状態で改質処理室３に装入してある。
【００１６】
前記燃焼室４内には、断熱材４６を、燃焼室４における伝熱板４０の側に燃焼用空間を形成するように、燃焼室４を形成する皿状容器形成部材４１における伝熱板４０に対向する部分に当て付けた状態で設けてある。その断熱材４６における伝熱板４０に対向する部分は、下方側が上方側より低くなる段差状に形成してある。そして、断熱材４６の下方側と伝熱板４０との間に形成される下方側燃焼室部分の底部に、長尺状のガスバーナ４２を配設し、断熱材４６の上方側と伝熱板４０との間に形成されて、前記下方側燃焼室部分よりも幅狭な上方側燃焼室部分に、白金、パラジウム等から成る燃焼触媒４ｃを設けてある。ガスバーナ４２は、多数のガス噴出孔を長手方向に沿って備えたガス噴出管４２ｇと、多数の空気噴出孔を長手方向に沿って備えた空気噴出管４２ａとを、ガス噴出孔から噴出されるガス燃料と空気噴出孔から噴出される燃焼用空気とを衝突させるように並べて構成してある。
ガスバーナ４２のガス噴出管４２ｇにはガス燃料供給用の燃料供給路２４を、空気噴出管４２ａには燃焼用空気供給用の燃焼用空気路２９をそれぞれ、燃焼室４を形成する皿状容器形成部材４１を貫通させて接続し、更に、燃焼室４を形成する皿状容器形成部材４１の上部には、ガスバーナ４２の燃焼ガスを排出するノズル４４を室内に連通する状態で接続してある。
そして、燃料供給路２４を通じて供給されるガス燃料をガスバーナ４２にて燃焼させると共に、未燃焼のガス燃料を燃焼触媒４ｃの触媒作用にて燃焼させ、燃焼ガスをノズル４４にて排出するように構成してある。
【００１７】
次に、図１及び図３に基づいて、点火プラグの保持装置Ｍ、及び、点火プラグＰについて説明する。
点火プラグの保持装置Ｍは、雄ネジ５１ｎを備え且つ前記点火プラグ取付部４１ｐに取り付けられる固定側円筒状部材５１、その固定側円筒状部材５１に螺合自在な雌ネジ５２ｎを備えてその固定側円筒状部材５１に締め付けられて装着される装着側円筒状部材５２、及び、それら固定側円筒状部材５１と装着側円筒状部材５２との間に介在されてそれらの締め付けに伴って縮径側に押圧されて縮径状態に塑性変形する円筒状の保持部材５３の夫々に対して、点火プラグＰを挿通させた状態において、前記装着側円筒状部材５２を前記固定側円筒状部材５１に締め付けることにより前記保持部材５３を縮径状態に塑性変形させて前記点火プラグＰを保持するように構成し、前記点火プラグＰに、前記装着側円筒状部材５２が前記固定側円筒状部材５１から離れる側に移動したときに、その装着側円筒状部材５１が当接可能な当たり部Ａを設けてある。
【００１８】
前記点火プラグＰについて説明を加える。
この点火プラグＰは、概ね円筒形状のハウジング５５内に、中心電極５６をその先端がハウジング５５の先端から突出する状態で絶縁材（図示せず）にてハウジング５５と電気的に絶縁した状態で保持し、中心電極５６に電気的に接続した端子部５７をハウジング５５の後端から突出する状態で設けて構成してある。ちなみに、図示は省略するが、点火プラグＰの接地電極は、前記燃焼室４を形成する前記伝熱板４０又は前記皿状容器形成部材４１に対して支持してある。
前記ハウジング５５は、長手方向の中間部から先の部分を後方側の部分よりも小径にして、前記ハウジング５５の長手方向の中間部に段差５５ｄを設けてある。
さらに、前記ハウジング５５における前記段差５５ｄよりも長手方向後方側の部分には、そのハウジング５５の外周面から全周にわたって突出する状態の太胴部５４を設けて、その太胴部５４を前記当たり部Ａとして機能させるように構成してある。
前記ハウジング５５及び前記太胴部５４は、ステンレス（例えばＳＵＳ３１０）等の耐熱製の金属にて形成してある。
【００１９】
ちなみに、本実施形態では、前記点火プラグＰの全長は６５ｍｍ程度であり、前記ハウジング５５の大径部分の外径は１０ｍｍφ、小径部分の外径は９ｍｍφ、前記太胴部５４の外径は１４ｍｍφ程度である。
【００２０】
前記固定側円筒状部材５１について説明を加える。
この固定側円筒状部材５１は、外周面及び内周面共に横断形状が円になる筒状本体部５１ｈの長手方向中間部に六角形状の鍔部５１ｔを備えた円筒状に形成し、前記筒状本体部５１ｈの外周面における前記鍔部５１ｔよりも後端側に前記雄ネジ５１ｎを形成してある。
前記筒状本体部５１ｈの内周面は、その長手方向の中間部から先の部分を後方側の部分よりも小径になるように形成して、前記筒状本体部５１ｈの内周面の長手方向の中間部に段差５１ｄを設け、更に、前記筒状本体部５１ｈの内周面の大径部分における後端側の部分は、後述する保持部材５３を嵌入させることが可能なように、先端側ほど漸次小径となる先細り状の先細り状内周面部５１ｒに形成してある。
【００２１】
尚、前記固定側円筒状部材５１の筒状本体部５１ｈの内周面の小径部分の径は、点火プラグＰのハウジング５５の小径部分の径よりもやや大きく且つハウジング５５の大径部分の径よりも小さく設定し、筒状本体部５１ｈの内周面の大径部分の径は、点火プラグＰのハウジング５５の大径部分の径よりも大きく設定して、前記点火プラグＰを固定側円筒状部材５１に挿入したときに、点火プラグＰのハウジング５５の小径部分を固定側円筒状部材５１の筒状本体部５１ｈの小径部分に挿入できるものの、ハウジング５５の外周面の段差５５ｄが筒状本体部５１ｈの内周面の段差５１ｄに当接して、それから先への点火プラグＰの挿入ができないようになっている。
【００２２】
前記燃焼室４を形成する皿状容器形成部材４１において、前記伝熱板４０の厚さ方向に沿う部分における一方の上下向き部分を前記点火プラグ取付部４１ｐとして、その点火プラグ取付部４１ｐにおける所定の点火プラグ取付位置に、点火プラグ取付孔を形成してある。
そして、前記固定側円筒状部材５１をその筒状本体部５１ｈの先端側から前記鍔部５１ｔが皿状容器形成部材４１に当接するまで前記点火プラグ取付孔に挿通して、鍔部５１ｔと皿状容器形成部材４１とを溶接接続することにより、固定側円筒状部材５１を燃焼室４の点火プラグ取付部４１ｐに取り付けてある。
【００２３】
前記ハウジング５５における段差５５ｄの形成位置、及び、筒状本体部５１ｈにおける内周面の段差５１ｄの形成位置は、前記固定側円筒状部材５１を上述のように点火プラグ取付部４１ｐに取り付けた状態で、点火プラグＰをそのハウジング５５の段差５５ｄが筒状本体部５１ｈの段差５１ｄに当接するまで固定側円筒状部材５１に挿入したときに、前記中心電極５６が前記ガスバーナ４２に点火するための適正位置に位置させることが可能な位置に設定してある。
つまり、前記ハウジング５５の段差５５ｄ及び筒状本体部５１ｈの段差５１ｄにより、前記点火プラグＰを前記固定側円筒状部材５１に挿通するときに、その挿通方向での位置決めを行う位置決め手段を構成してある。
【００２４】
前記装着側円筒状部材５２について説明を加える。
この装着側円筒状部材５２は、横断形状が六角形の外周面と横断形状が円の内周面とを備えた筒状本体部５２ｈの後端に、中心に向かって張り出す円環状の受部５２ｕを備えた円筒状に形成し、前記筒状本体部５２ｈの内周面に、前記雌ネジ５２ｎを形成してある。
前記受部５２ｕの内径は、前記点火プラグＰを挿通可能で且つ装着側円筒状部材５２が固定側円筒状部材５１から離れる側に移動したときにその装着側円筒状部材５２の受部５２ｕ側の端面が前記点火プラグＰの前記太胴部５４に当接可能なように、その太胴部５４の外径よりも小さくなるように設定してある。
【００２５】
前記保持部５３について説明を加える。
この保持部５３は、外周面が先端側ほど漸次細くなる先細り円筒状の前側部分５３Ｆと、その前側部分５３Ｆの後端に先端部分が内嵌されるリング状の後側部分５３Ｂとから成る円筒状に構成してある。
そして、保持部５３をその前側部分５３Ｆが固定側円筒状部材５１側に位置する姿勢で、固定側円筒状部材５１と装着側円筒状部材５２との間に介在させて、固定側円筒状部材５１と装着側円筒状部材５２とを締め付けるのに伴って、保持部５３の後側部分５３Ｂを装着側円筒状部材５２の受部５２ｕに当接させて、その後側部分Ｂを介して保持部５３の前側部分５３Ｆを押圧して固定側円筒状部材５１の前記先細り状内周面部５１ｒに嵌入させることにより、その先細り状内周面部５１ｒにて保持部５３の前側部分５３Ｆを縮径側に押圧して、その前側部分５３Ｆを縮径状態に塑性変形させるように構成してある。
【００２６】
次に、図４に基づいて、前記点火プラグＰを燃焼室４の点火プラグ取付部４１ｐに取り付けたり取り外したりする際の前記点火プラグの保持装置Ｍの作用について説明する。
点火プラグＰを取り付けるときは、図４の（イ）に示すように、点火プラグＰを、そのハウジング５５に前記装着側円筒状部材５２、前記保持部５３の後側部分５３Ｂ、前側部分５３Ｆの順に挿通した状態で、ハウジング５５の先端側から、前記燃焼室４の点火プラグ取付部４１ｐに取り付けた前記固定側円筒状部材５１に対して、ハウジング５５の段差５５ｄが固定側円筒状部材５１の内周面の段差５１ｄに当接するまで挿通して、前記ガスバーナ４２に点火するための適正位置に位置させる。
【００２７】
続いて、スパナ等の工具にて装着側円筒状部材５２を固定側円筒状部材５１に締め付けてゆくと、それに伴って、図４の（ロ）に示すように、固定側円筒状部材５１と装着側円筒状部材５２との間に介在する保持部材５３の前側部分５３Ｆが固定側円筒状部材５１の先細り状内周面部５１ｒに嵌入されると共に縮径側に押圧されて縮径状態に塑性変形し、そのように塑性変形した保持部材５３の前側部分５３Ｆによって点火プラグＰがそのハウジング５５の外周部から締め付けられることになり、点火プラグＰが点火プラグの保持装置Ｍにより位置固定状態に保持されて、前記燃焼室４の点火プラグ取付部４１ｐに取り付けられる。
【００２８】
点火プラグＰを取り外すときは、スパナ等の工具にて装着側円筒状部材５２を固定側円筒状部材５１から緩めて固定側円筒状部材５１から離れる側に移動させると、図４の（ハ）に示すように、装着側円筒状部材５２が点火プラグＰの太胴部５４に当接し、そのように装着側円筒状部材５２が点火プラグＰの太胴部５４に当接した状態で、更に装着側円筒状部材５２を緩めて固定側円筒状部材５１から離れる側に移動させると、移動する装着側円筒状部材５２により点火プラグＰが固定側円筒状部材５１から抜く方向に押されて、点火プラグＰが取り外される。
【００２９】
従って、点火プラグ取付部４１ｐの厚さが薄い場合でも、溶接により、固定側円筒状部材５１を点火プラグ取付部４１ｐに十分な強度にて取り付けることができ、そのように十分な強度にて点火プラグ取付部４１ｐに取り付けた固定側円筒状部材５１、それに螺合により装着自在な装着側円筒状部材５２、及び、それら固定側円筒状部材５１と装着側円筒状部材５２との間に介在させた保持部材５３の夫々に対して、点火プラグＰを挿通させた状態で、装着側円筒状部材５２を固定側円筒状部材５１に締め付けて、保持部材５３を縮径状態に塑性変形させて点火プラグＰをその外周部から締め付けるので、点火プラグ取付部４１ｐの厚さが薄い場合でも点火プラグＰを十分な強度にて適正に取り付けることが可能になる。
【００３０】
又、点火プラグＰを点火プラグ取付部４１ｐから取り外すときは、装着側円筒状部材５２が点火プラグＰの当たり部Ａに当接した状態で、装着側円筒状部材５２を固定側円筒状部材５１から緩めてそれから離れる側に移動させることにより、ねじによる倍力作用を利用して、点火プラグＰを固定側円筒状部材５１から離れる側に押すように強い力を作用させることが可能になるので、改質装置Ｒの運転により、点火プラグＰが固定側円筒状部材５１や保持部材５３に焼き付いていたとしても、点火プラグＰを点火プラグ取付部４１ｐから容易に取り外すことが可能になる。
【００３１】
次に、上述の改質装置Ｒを備えた水素含有ガス生成装置について説明する。
図５に示すように、水素含有ガス生成装置は、前記改質装置Ｒに加えて、その改質装置Ｒにて改質処理する対象の天然ガス等の炭化水素系の原燃料ガスを脱硫処理する脱硫部１と、改質装置Ｒにおける改質処理用の水蒸気を生成する水蒸気生成部Ｓと、改質装置Ｒから供給される改質ガス中の一酸化炭素ガスを水蒸気を用いて二酸化炭素ガスに変成処理する変成部５と、その変成部５から供給される改質ガス中の一酸化炭素ガスを選択酸化する選択酸化部６とを備えて構成してある。そして、この水素含有ガス生成装置にて生成された水素含有ガスは、例えば、各種の燃料電池Ｇにて発電用として用いられる。
【００３２】
水蒸気生成部Ｓは、改質装置Ｒの燃焼室４から排出された燃焼ガスを通流させる水蒸気生成用加熱通流部１１と、供給される原料水を水蒸気生成用加熱通流部１１による加熱にて蒸発させる蒸発処理室２とから構成してある。
更に、水素含有ガス生成装置には、改質装置Ｒの改質処理室３から排出された高温の改質処理ガスを通流させて、改質処理室３を保温する保温用通流部７と、脱硫部１からの脱硫原燃料ガスと改質処理室３からの高温の改質処理ガスとを熱交換させて、改質処理室３に供給される脱硫原燃料ガスを予熱する脱硫原燃料ガス用熱交換器Ｅｐと、改質処理室３からの高温の改質処理ガスと脱硫部１に供給される原燃料ガスとを熱交換させて原燃料ガスを予熱する原燃料ガス用熱交換器Ｅａと、変成部５を冷却するために冷却用流体を通流させる変成部冷却用通流部８と、同じく、変成部６を冷却するために冷却用流体を通流させる変成部冷却用通流部９と、変成部５及び選択酸化部６を冷却する冷却用ファン１０とを設けてある。
【００３３】
脱硫原燃料ガス用熱交換器Ｅｐは、保温用通流部７から排出された改質処理ガスを通流させる上流側改質処理ガス通流部１２と、改質処理室３に供給する脱硫原燃料ガスを通流させる脱硫原燃料ガス通流部１３とを熱交換自在に設けて構成し、原燃料ガス用熱交換器Ｅａは、上流側改質処理ガス通流部１２から排出された改質処理ガスを通流させる下流側改質処理ガス通流部１５と、脱硫部１に供給する原燃料ガスを通流させる原燃料ガス通流部１６とを熱交換自在に設けて構成してある。
【００３４】
水素含有ガス生成装置は、矩形板状の扁平な容器Ｂの複数を板状形状の厚さ方向に並べて設けて、各容器Ｂを用いて、改質装置Ｒ、水蒸気生成部Ｓ、脱硫部１、変成部５、選択酸化部６、各通流部等をそれぞれ構成してある。
即ち、複数の容器Ｂのうちの一部は、一つの扁平な室を備えるように形成した単室具備容器Ｂｍにて構成し、残りは、上述した改質装置Ｒを構成するのと同様の双室具備容器Ｂｄにて構成してある。
【００３５】
本実施形態においては、９個の双室具備容器Ｂｄと１個の単室具備容器Ｂｍとを、側面視において左端から３個目に単室具備容器Ｂｍを位置させた状態で、横方向に厚さ方向に並べて設けてある。尚、９個の双室具備容器Ｂｄと１個の単室具備容器Ｂｍとを並べるに当たっては、伝熱させる必要のあるもの同士は密着させた状態で、且つ、伝熱量を調節する必要のあるもの同士の間には伝熱量調節用の断熱材１９を介在させた状態で並べてある。
９個の双室具備容器Ｂｄの区別が明確になるように、便宜上、双室具備容器を示す符号Ｂｄの後に、左からの並び順を示す符号１，２，３……………９を付す。
【００３６】
左端の双室具備容器Ｂｄ１の左側の室を備えた部分を用いて、水蒸気生成用加熱通流部１１を構成し、右側の室を備えた部分を用いて蒸発処理室２を構成してある。つまり、左端の双室具備容器Ｂｄ１にて水蒸気生成部Ｓを構成してある。
左から２個目の双室具備容器Ｂｄ２を用いて、上述のように改質装置Ｒを構成してある
単室具備容器Ｂｍを用いて、保温用通流部７を構成してある。
左から３個目の双室具備容器Ｂｄ３の左側の室を備えた部分を用いて、上流側改質処理ガス通流部１２を構成し、右側の室を備えた部分を用いて、脱硫原燃料ガス通流部１３を構成してある。
左から４個目の双室具備容器Ｂｄ４を用いて、脱硫部１を構成し、左から５個目の双室具備容器Ｂｄ５の左側の室を備えた部分を用いて、脱硫部１を構成し、右側の室を備えた部分を用いて、原燃料ガス通流部１６を構成してある。
左から６個目の双室具備容器Ｂｄ６の左側の室を備えた部分を用いて、下流側改質処理ガス通流部１５を構成し、右側の室を備えた部分を用いて、変成部５を構成してある。
左から７個目の双室具備容器Ｂｄ７の左側の室を備えた部分を用いて、変成部５を構成し、右側の室を備えた部分を用いて変成部冷却用通流部８を構成してある。
左から８個目の双室具備容器Ｂｄ８を用いて、変成部５を構成し、左から９個目（右端）の双室具備容器Ｂｄ９の左側の室を備えた部分を用いて、変成部冷却用通流部９を構成し、右側の室を備えた部分を用いて選択酸化部６を構成してある。
【００３７】
図５において、白抜き矢印にて示すように、原燃料ガス供給路２１を原燃料ガス用熱交換器Ｅａの原燃料ガス通流部１６に接続し、並びに、原燃料ガス通流部１６、脱硫部１、脱硫原燃料ガス用熱交換器Ｅｐの脱硫原燃料ガス通流部１３、改質処理室３、保温用通流部７、脱硫原燃料ガス用熱交換器Ｅｐの上流側改質処理ガス通流部１２、原燃料ガス用熱交換器Ｅａの下流側改質処理ガス通流部１５、変成部５、選択酸化部６の順に流れるガス処理経路を形成するように、それらをガス処理用流路２２にて接続してある。
【００３８】
選択酸化部６から排出された選択酸化処理ガスを燃料ガスとして燃料電池Ｇに供給するように、選択酸化部６と燃料電池Ｇとを燃料ガス路２３にて接続し、燃料電池Ｇから排出された排燃料ガスをガス燃料として燃焼室４のガスバーナ４２に供給すべく、燃料電池Ｇとガスバーナ４２とを燃料供給路２４にて接続してある。更に、燃料供給路２４を分岐させて、その分岐させた燃料供給路２４を都市ガス供給用の元栓等のガス燃料供給源３０に接続して、燃料電池Ｇの起動時には、ガス燃料供給源３０からガス燃料をガスバーナ４２に供給するようにしてある。
【００３９】
図５において、実線矢印にて示すように、原料水ポンプ１４から水蒸気生成用の原料水が送られる原料水供給路２５を原燃料改質用水蒸気生成装置Ｓの蒸発処理室２に接続し、蒸発処理室２にて生成された水蒸気を送出する水蒸気路２６を、脱硫部１と被改質ガス通流部１３とを接続するガス処理用流路２２に接続して、ガス処理用流路２２を通流する脱硫原燃料ガスに改質用の水蒸気を混合させるように構成してある。
【００４０】
図５において、破線矢印にて示すように、燃焼室４から排出された燃焼ガスを、水蒸気生成部の水蒸気生成用加熱通流部１１、変成部冷却用通流部８の順に流すように、それら燃焼室４、水蒸気生成用加熱通流部１１、変成部冷却用通流部８を燃焼ガス路２７にて接続して、水蒸気生成用加熱通流部１１においては、燃焼ガスによって蒸発処理室２を加熱し、変成部冷却用通流部８においては、燃焼ガスによって、発熱反応である変成反応が行われる変成部５を冷却するように構成してある。
【００４１】
図５において、一点鎖線矢印にて示すように、ブロア２８からの空気を燃焼用空気として、ガスバーナ４２に供給するように、ブロア２８とガスバーナ４２とを燃焼用空気路２９にて接続してある。尚、図示は省略するが、ブロア２８からの空気を変成部冷却用通流部９を通流させてからガスバーナ４２に供給する変成部冷却用空気路も設けてあり、変成部５の冷却能力が不足するとき、例えば、夏期の高気温時には、その変成部冷却用空気路を通じて、燃焼用空気をガスバーナ４２に供給するように切り換え可能なように構成してある。
【００４２】
又、変成部冷却用通流部８から燃焼ガス路２７を通じて排出された燃焼ガスと、燃焼用空気路２９を通じてガスバーナ４２に供給する燃焼用空気及び燃料供給路２４を通じてガスバーナ４２に供給するオフガスとを熱交換させて、燃焼用空気及びオフガスを予熱する排熱回収用熱交換器３１を設けてある。
【００４３】
つまり、本実施形態には、請求項２記載の点火プラグＰ、即ち、前記固定側円筒状部材５１、前記装着側円筒状部材５２、及び、前記保持部材５３の夫々に対して挿通された状態において、前記装着側円筒状部材５２を前記固定側円筒状部材５１に締め付けることにより前記保持部材５３を縮径状態に塑性変形させて保持されるように構成し、前記装着側円筒状部材５２が前記固定側円筒状部材５１から離れる側に移動したときに、その装着側円筒状部材５２が当接可能な当たり部Ａを設けた点火プラグＰが記載されている。
【００４４】
〔別実施形態〕
次に別実施形態を説明する。
（イ）  前記当たり部Ａの具体構成は、上記の実施形態において例示した構成に限定されるものではなく、種々の構成が可能である。
例えば、図６及び図７に示すように、点火プラグＰのハウジング５５の外周面に、外径が装着側円筒状部材５２の受部５２ｕの内径よりも小さいリング状の突起部５８を設けると共に、点火プラグＰとは別体で、弾性変形により点火プラグＰのハウジング５５に外嵌可能で、そのハウジング５５に外嵌した状態での外径が装着側円筒状部材５２の受部５２ｕの内径よりも大きい概ね馬蹄形のアダプタ５９を設ける。
そして、点火プラグＰを取り外すときは、アダプタ５９を点火プラグＰのハウジング５５における装着側円筒状部材５２と突起部５８との間に外嵌させて、アダプタ５９を突起部５８にて受け止める状態で、固定側円筒状部材５１から離れる側に移動する装着側円筒状部材５２をアダプタ５９に当接させて、点火プラグＰを取り外すように構成する。
この場合、点火プラグＰのハウジング５５の外周面の突起部５８と、アダプタ５９とにより前記当たり部Ａが構成されることになる。
そして、点火プラグＰを点火プラグ取付部４１ｐに取り付けた状態では、アダプタ５９を点火プラグＰから取り外しておくことができるので、点火プラグＰをコンパクトに取り付けることが可能になる。
【００４５】
（ロ）  前記当たり部Ａを点火プラグＰに設ける形態は、上記の実施形態において例示した如き点火プラグＰの外周部の全周にわたって設ける形態に限定されるものではなく、点火プラグＰの外周部にその周方向の一部に設ける形態や、周方向に分散状態に設ける形態でも良い。
【００４６】
（ハ）  上記の実施形態においては、保持部５３を前側部分５３Ｆと後側部分５３Ｂの２個の部材にて構成する場合について例示したが、１個の部材にて構成しても良い。
【００４７】
（ニ）  上記の実施形態においては、固定側円筒状部材５１に雄ネジ５１ｎを備えさせ、装着側円筒状部材５２に、前記固定側円筒状部材５１の雄ネジ５１ｎに螺合自在な雌ネジ５２ｎを備えさせる場合について例示したが、これに代えて、固定側円筒状部材５１に雌ネジを備えさせ、装着側円筒状部材５２に、前記固定側円筒状部材５１の雌ネジに螺合自在な雄ネジを備えさせても良い。
【００４８】
（ホ）  本発明の点火プラグの保持装置及び点火プラグの用途は、上記の実施形態において例示した如き改質装置Ｒに限定されるものではなく、エンジン、ボイラ等、混合気を燃焼室にて燃焼させるように構成した種々の装置にて用いることが可能である。
そして、前記固定側円筒状部材５１を取り付ける点火プラグ取付部は、上記の実施形態にて例示した如き厚さの薄い板状のものに限定されるものではなく、点火プラグＰを取り付ける装置に応じた種々の形態のものが可能であり、例えばエンジンのシリンダの如き厚さの厚いものでも良い。
又、ガスコンロのガスバーナ点火用等、燃焼室を備えずに混合気を開放空間にて燃焼させる場合にも用いることが可能である。
【図面の簡単な説明】
【００４９】
【図１】改質装置、点火プラグの保持装置及び点火プラグを示す斜視図
【図２】改質装置の縦断面図
【図３】点火プラグの保持装置及び点火プラグを示す縦断面図
【図４】点火プラグを着脱するときの点火プラグの保持装置の作用を説明する図
【図５】改質装置を備えた水素含有ガス生成装置の縦断面図
【図６】別実施形態に係る点火プラグを示す斜視図
【図７】別実施形態に係る点火プラグの保持装置及び点火プラグを示す縦断面図
【符号の説明】
【００５０】
３      改質処理室
４      燃焼室
４０    伝熱板
４１ｐ  点火プラグ取付部
４２    バーナ
５１    固定側円筒状部材
５２    装着側円筒状部材
５３    保持部材
Ａ      当たり部
Ｐ      点火プラグ
【図１】
2005141931.tif 000003
【図２】
2005141931.tif 000004
【図３】
2005141931.tif 000005
【図４】
2005141931.tif 000006
【図５】
2005141931.tif 000007
【図６】
2005141931.tif 000008
【図７】
2005141931.tif 000009